(57)【特許請求の範囲】
【請求項１】
燃料ガスと酸化剤ガスとの電気化学反応により発電する燃料電池と、
前記燃料電池内に前記燃料ガスを供給する燃料ガス供給装置と、
前記燃料電池内に前記酸化剤ガスを供給する酸化剤ガス供給装置と、
前記燃料電池内に冷却媒体を供給する冷却媒体供給装置と、
を備え、
前記燃料ガス供給装置は、前記燃料電池から排出される前記燃料ガスを、前記燃料電池に供給される新たな燃料ガスに混在させる循環流路を有するとともに、前記循環流路に燃料ポンプが配設される燃料電池システムの低温起動方法であって、
低温起動時には、前記燃料ポンプの駆動指令が発せられるとともに、前記低温起動時の燃料ガス供給圧力を、通常起動時の燃料ガス供給圧力よりも上昇させ、
前記低温起動時の燃料ガス供給圧力は、前記燃料電池の温度に比例して、前記燃料電池の温度が低い程、低く設定されることを特徴とする燃料電池システムの低温起動方法。
【請求項２】
請求項１記載の低温起動方法であって、前記燃料電池の電流印加を開始するための処理が完了した際、前記酸化剤ガスが前記燃料電池から排出される酸化剤ガス排出口の温度を検出し、前記酸化剤ガス排出口の温度に基づいて、前記燃料電池への外部からの運転要求を規制する待機時間を設定することを特徴とする燃料電池システムの低温起動方法。
【請求項３】
請求項２記載の低温起動方法であって、前記待機時間が経過した際、起動時の燃料ガス置換完了前であっても、前記燃料ガス供給圧力の上限値を低下させることを特徴とする燃料電池システムの低温起動方法。
【請求項４】
請求項２又は３記載の低温起動方法であって、前記燃料ガスを高濃度の燃料ガスに置換するパージ処理又は前記待機時間の少なくとも一方の処理の完了後に、前記燃料ガス供給圧力の上昇を終了することを特徴とする燃料電池システムの低温起動方法。
【発明の詳細な説明】
【技術分野】
【０００１】
本発明は、燃料ガスと酸化剤ガスとの電気化学反応により発電する燃料電池、前記燃料ガスを供給する燃料ガス供給装置、前記酸化剤ガスを供給する酸化剤ガス供給装置、及び冷却媒体を供給する冷却媒体供給装置を備える燃料電池システムの低温起動方法に関する。
【背景技術】
【０００２】
例えば、固体高分子型燃料電池は、高分子イオン交換膜からなる電解質膜の一方の面にアノード電極が、他方の面にカソード電極が、それぞれ配設された電解質膜・電極構造体（ＭＥＡ）を備えている。電解質膜・電極構造体は、セパレータによって挟持されることにより、発電セル（単位セル）が構成されている。通常、所定の数の発電セルが積層されることにより、例えば、車載用燃料電池スタックとして燃料電池車両（燃料電池電気自動車等）に組み込まれている。
【０００３】
燃料電池は、水素ガス（燃料ガス）と酸素ガス（酸化剤ガス）との電気化学反応により発電（運転）を行うため、前記燃料電池に燃料ガス供給装置及び酸化剤ガス供給装置が接続された燃料電池システムが採用されている。
【０００４】
燃料ガス供給装置では、通常、アノード電極から排出された燃料オフガスは、燃料循環流路を通って燃料供給流路に戻され、燃料供給源から供給される燃料ガスと混合されて前記アノード電極に再供給されている。例えば、特許文献１に開示されている燃料電池システムでは、燃料循環流路に燃料ポンプが設けられるとともに、燃料ポンプの下流側にあたる燃料循環流路と燃料供給流路の合流点にエゼクタが設けられている。
【０００５】
そして、燃料ポンプ及びエゼクタで燃料オフガスを昇圧させる際に、前記エゼクタに供給する燃料ガスの圧力及び前記燃料ポンプによる燃料オフガスの昇圧を、前記エゼクタによる燃料オフガスの昇圧値が０以上となるように制御させている。このため、燃料ポンプで昇圧した燃料オフガスの圧力の一部が、エゼクタで失われる事態を回避することができ、燃料オフガスをエゼクタ及び燃料ポンプで効率良く昇圧させることができる、としている。
【先行技術文献】
【特許文献】
【０００６】
【特許文献１】特開２００９−２８３１７１号公報
【発明の概要】
【発明が解決しようとする課題】
【０００７】
しかしながら、上記の燃料電池システムでは、水素ガスと酸素ガスとの電気化学反応により生成された水が残存している。従って、システム停止中に、低温環境下、すなわち、氷点下に長時間に亘って放置されていると、残存した生成水が燃料ポンプ内で凍結し、次回の起動時に前記燃料ポンプを駆動させることができないという問題がある。
【０００８】
本発明は、この種の課題を解決するものであり、簡単な制御で、迅速且つ有効な低温起動を遂行することができ、発電安定性を良好に確保することが可能な燃料電池システムの低温起動方法を提供することを目的とする。
【課題を解決するための手段】
【０００９】
本発明に係る低温起動方法が適用される燃料電池システムは、燃料電池と、燃料ガスを供給する燃料ガス供給装置と、酸化剤ガスを供給する酸化剤ガス供給装置と、冷却媒体を供給する冷却媒体供給装置と、を備えている。燃料電池は、燃料ガスと酸化剤ガスとの電気化学反応により発電している。燃料ガス供給装置は、燃料電池から排出される燃料ガスを、前記燃料電池に供給される新たな燃料ガスに混在させる循環流路を有するとともに、前記循環流路に燃料ポンプが配設されている。
【００１０】
この低温起動方法では、低温起動時には、燃料ポンプの駆動指令が発せられるとともに、前記低温起動時の燃料ガス供給圧力を、通常起動時の燃料ガス供給圧力よりも上昇させている。
【００１１】
また、この低温起動方法では、低温起動時の燃料ガス供給圧力は、燃料電池の温度に比例して、燃料電池の温度が低い程、低く設定される。
【００１２】
さらに、この低温起動方法では、燃料電池の電流印加を開始するための処理が完了した際、酸化剤ガスが燃料電池から排出される酸化剤ガス排出口の温度を検出し、前記酸化剤ガス排出口の温度に基づいて、前記燃料電池への外部からの運転要求を規制する待機時間を設定することが好ましい。
【００１３】
さらにまた、この低温起動方法では、待機時間が経過した際、起動時の燃料ガス置換完了前であっても、燃料ガス供給圧力の上限値を低下させることが好ましい。またさらに、燃料ガスを高濃度の燃料ガスに置換するパージ処理又は前記待機時間の少なくとも一方の処理の完了後に、前記燃料ガス供給圧力の上昇を終了することが好ましい。
【発明の効果】
【００１４】
本発明によれば、低温起動時には、燃料ポンプの駆動指令が発せられるとともに、前記低温起動時の燃料ガス供給圧力を、通常起動時の燃料ガス供給圧力よりも上昇させている。このため、燃料ポンプが凍結していても、燃料ガスの供給量を有効に確保することができる。従って、燃料ガス置換不足を確実に防止し、起動後に燃料電池から引かれる電流に電流制限がかかることを抑制することが可能になる。これにより、簡単な制御で、迅速且つ有効な低温起動を遂行することができ、発電安定性を良好に確保することが可能になる。
【図面の簡単な説明】
【００１５】
【図１】本発明の実施形態に係る低温起動方法が適用される燃料電池システムの概略構成説明図である。
【図２】前記低温起動方法において、待機時間がパージ処理よりも短い場合のタイムチャートである。
【図３】燃料電池スタックの温度と水素上限圧との関係説明図である。
【図４】前記低温起動方法において、待機時間がパージ処理よりも長い場合のタイムチャートである。
【図５】水素圧力と発電電流制限時間との関係説明図である。
【発明を実施するための形態】
【００１６】
図１に示すように、本発明の実施形態に係る低温起動方法が適用される燃料電池システム１０は、例えば、燃料電池電気自動車等の燃料電池車両（図示せず）に搭載される。
【００１７】
燃料電池システム１０は、燃料電池スタック１２を備える。燃料電池スタック１２には、燃料ガスである、例えば、水素ガスを供給する燃料ガス供給装置１４と、酸化剤ガスである、例えば、空気を供給する酸化剤ガス供給装置１６と、冷却媒体を供給する冷却媒体供給装置１８とが設けられる。燃料電池システム１０は、さらにエネルギ貯蔵装置であるバッテリ２０と、システム制御装置である制御部（ＥＣＵ）２２とを備える。
【００１８】
燃料電池スタック１２は、複数の発電セル２４が水平方向又は鉛直方向に積層される。発電セル２４は、電解質膜・電極構造体２６を第１セパレータ２８及び第２セパレータ３０で挟持する。第１セパレータ２８及び第２セパレータ３０は、金属セパレータ又はカーボンセパレータにより構成される。
【００１９】
電解質膜・電極構造体２６は、例えば、水分が含まれたパーフルオロスルホン酸の薄膜である固体高分子電解質膜３２と、前記固体高分子電解質膜３２を挟持するアノード電極３４及びカソード電極３６とを備える。固体高分子電解質膜３２は、フッ素系電解質の他、ＨＣ（炭化水素）系電解質が使用される。
【００２０】
第１セパレータ２８は、電解質膜・電極構造体２６との間に、アノード電極３４に水素ガスを供給するための水素ガス流路３８を設ける。第２セパレータ３０は、電解質膜・電極構造体２６との間に、カソード電極３６に空気を供給するための空気流路４０を設ける。互いに隣接する第１セパレータ２８と第２セパレータ３０との間には、冷却媒体を流通させるための冷却媒体流路４２が設けられる。
【００２１】
燃料電池スタック１２には、水素ガス入口４４ａ、水素ガス出口４４ｂ、空気入口４６ａ、空気出口４６ｂ、冷却媒体入口４８ａ及び冷却媒体出口４８ｂが設けられる。水素ガス入口４４ａは、各発電セル２４の積層方向に貫通するとともに、水素ガス流路３８の供給側に連通する。水素ガス出口４４ｂは、各発電セル２４の積層方向に貫通するとともに、水素ガス流路３８の排出側に連通する。水素ガス流路３８、水素ガス入口４４ａ及び水素ガス出口４４ｂにより、アノード流路が構成される。
【００２２】
空気入口４６ａは、各発電セル２４の積層方向に貫通するとともに、空気流路４０の供給側に連通する。空気出口４６ｂは、各発電セル２４の積層方向に貫通するとともに、空気流路４０の排出側に連通する。空気流路４０、空気入口４６ａ及び空気出口４６ｂにより、カソード流路が構成される。
【００２３】
冷却媒体入口４８ａは、各発電セル２４の積層方向に貫通するとともに、冷却媒体流路４２の供給側に連通する。冷却媒体出口４８ｂは、各発電セル２４の積層方向に貫通するとともに、冷却媒体流路４２の排出側に連通する。
【００２４】
燃料ガス供給装置１４は、高圧水素を貯留する水素タンク５０を備え、この水素タンク５０は、水素ガス供給路５２を介して燃料電池スタック１２の水素ガス入口４４ａに連通する。水素ガス供給路５２は、燃料電池スタック１２に水素ガスを供給する。
【００２５】
水素ガス供給路５２には、インジェクタ５４及びエゼクタ５６が直列に設けられるとともに、前記インジェクタ５４及び前記エゼクタ５６を跨いでバイパス供給路５８が接続される。バイパス供給路５８には、ＢＰ（バイパス）インジェクタ６０が設けられる。ＢＰインジェクタ６０は、燃料電池スタック１２の始動時や高負荷発電が要求された際等に、高濃度な水素を供給するために使用されるサブインジェクタである一方、インジェクタ５４は、通常の発電時に主として使用されるメインインジェクタである。
【００２６】
燃料電池スタック１２の水素ガス出口４４ｂには、水素ガス排出路（オフガス配管）６２が連通する。水素ガス排出路６２は、アノード電極３４で少なくとも一部が使用された水素ガスである水素排ガスを、燃料電池スタック１２から導出する。水素ガス排出路６２には、気液分離器６４が接続されるとともに、前記気液分離器６４の下流から分岐する水素循環流路６６を介してエゼクタ５６が接続される。
【００２７】
水素循環流路６６には、水素ポンプ（燃料ポンプ）６８が設けられる。水素ポンプ６８は、特に起動時に、水素ガス排出路６２に排出された水素排ガスを、水素循環流路６６を通って水素ガス供給路５２に循環させる。
【００２８】
水素ガス排出路６２の下流には、パージ流路７０の一端が連通するとともに、前記パージ流路７０の途上には、パージ弁７２が設けられる。気液分離器６４の底部には、主に液体成分を含む流体を排出する排水流路７４の一端が接続される。排水流路７４の途上には、ドレイン弁７６が配設される。
【００２９】
燃料ガス供給装置１４は、アノード流路の水素ガス圧力を検出するために、例えば、水素ガス供給路５２に水素ガス入口４４ａの近傍に位置してアノード圧力センサ７７を備え、前記アノード圧力センサ７７の検出信号が制御部２２に送られる。
【００３０】
酸化剤ガス供給装置１６は、大気からの空気を圧縮して供給するエアポンプ７８を備え、前記エアポンプ７８が空気供給路８０に配設される。空気供給路８０は、燃料電池スタック１２に空気を供給する。
【００３１】
空気供給路８０は、エアポンプ７８の下流側に位置して供給側開閉弁（入口封止弁）８２ａ及び加湿器８４を配設するとともに、燃料電池スタック１２の空気入口４６ａに連通する。空気供給路８０には、加湿器８４を跨いでバイパス供給路８６が接続される。バイパス供給路８６には、前記バイパス供給路８６を流通する空気の流量を調整するＢＰ流量調整弁８８（バイパス弁）が配設される。
【００３２】
燃料電池スタック１２の空気出口４６ｂには、空気排出路９０が連通する。空気排出路９０には、供給空気と排出空気との間で水分及び熱を交換する加湿器８４、排出側開閉弁（出口封止弁）８２ｂ及び背圧弁９２が配設される。空気排出路９０は、カソード電極３６で少なくとも一部が使用された空気である排出空気を、燃料電池スタック１２から排出する。空気排出路９０の下流には、パージ流路７０の他端及び排水流路７４の他端が接続され、希釈部を構成する。
【００３３】
空気供給路８０と空気排出路９０とには、供給側開閉弁８２ａの上流側と排出側開閉弁８２ｂの下流側及び背圧弁９２の下流側とに位置して、バイパス流路９４の両端が連通する。バイパス流路９４には、前記バイパス流路９４を流通する空気の流量を調整するＢＰ流量調整弁９６が配設される。
【００３４】
空気供給路８０と空気排出路９０とには、供給側開閉弁８２ａの下流側及び排出側開閉弁８２ｂの上流側に位置して、空気循環流路９８が連通する。空気循環流路９８には、循環ポンプ１００が配置される。循環ポンプ１００は、空気排出路９０に排出された排出空気を、空気循環流路９８を通って空気供給路８０に循環させる。空気排出路９０には、燃料電池スタック１２の空気出口温度を検出するための空気温度センサ１０１が配設される。空気温度センサ１０１の検出信号は、制御部２２に送られる。
【００３５】
冷却媒体供給装置１８は、燃料電池スタック１２の冷却媒体入口４８ａに接続される冷却媒体供給路１０２を備え、前記冷却媒体供給路１０２の途上には、水ポンプ１０４が配置される。冷却媒体供給路１０２は、ラジエータ１０６に接続されるとともに、前記ラジエータ１０６には、冷却媒体出口４８ｂに連通する冷却媒体排出路１０８が接続される。冷却媒体排出路１０８には、冷却媒体出口温度を検出するための冷媒温度センサ１１０が配設される。冷媒温度センサ１１０の検出信号は、制御部２２に送られる。
【００３６】
このように構成される燃料電池システム１０の動作について、以下に説明する。
【００３７】
燃料ガス供給装置１４では、水素タンク５０から水素ガス供給路５２に水素ガスが供給される。この水素ガスは、インジェクタ５４及びエゼクタ５６を通って燃料電池スタック１２の水素ガス入口４４ａに供給される。水素ガスは、水素ガス入口４４ａから水素ガス流路３８に導入され、前記水素ガス流路３８に沿って移動することにより電解質膜・電極構造体２６のアノード電極３４に供給される。
【００３８】
酸化剤ガス供給装置１６では、エアポンプ７８の回転作用下に、空気供給路８０に空気が送られる。この空気は、加湿器８４を通って加湿された後、燃料電池スタック１２の空気入口４６ａに供給される。空気は、空気入口４６ａから空気流路４０に導入され、前記空気流路４０に沿って移動することにより電解質膜・電極構造体２６のカソード電極３６に供給される。
【００３９】
従って、各電解質膜・電極構造体２６では、アノード電極３４に供給される水素ガスと、カソード電極３６に供給される空気中の酸素とが、電極触媒層内で電気化学反応により消費されて発電が行われる。
【００４０】
また、冷却媒体供給装置１８では、水ポンプ１０４の作用下に、冷却媒体供給路１０２から燃料電池スタック１２の冷却媒体入口４８ａに純水やエチレングリコール、オイル等の冷却媒体が供給される。冷却媒体は、冷却媒体流路４２に沿って流動し、発電セル２４を冷却した後、冷却媒体出口４８ｂから冷却媒体排出路１０８に排出される。
【００４１】
次いで、アノード電極３４に供給されて一部が消費された水素ガス（水素排ガス）は、水素ガス出口４４ｂから水素ガス排出路６２に排出される。水素排ガスは、水素ガス排出路６２から水素循環流路６６に導入され、エゼクタ５６の吸引作用下に水素ガス供給路５２に循環される。水素ガス排出路６２に排出された水素排ガスは、必要に応じて、パージ弁７２の開放作用下に外部に排出（パージ）される。
【００４２】
同様に、カソード電極３６に供給されて一部が消費された空気（排出空気）は、空気出口４６ｂから空気排出路９０に排出される。排出空気は、加湿器８４を通って空気供給路８０から供給される新たな空気を加湿した後、背圧弁９２の設定圧力に調整された後、希釈部に排出される。なお、空気排出路９０に排出された空気は、必要に応じて、循環ポンプ１００の作用下に空気循環流路９８を通って空気供給路８０に循環する。
【００４３】
次いで、本実施形態に係る燃料電池システム１０の低温起動方法について、図２以降に沿って、以下に説明する。
【００４４】
低温雰囲気、例えば、氷点下雰囲気で、イグニッションスイッチがオンされることにより、制御部２２に起動信号が入力される。このため、制御部２２は、燃料ガス供給装置１４、酸化剤ガス供給装置１６及び冷却媒体供給装置１８を駆動制御する。その際、燃料ガス供給装置１４では、水素ポンプ６８の駆動指令が発せられるとともに、低温起動時の水素供給圧力を、通常起動時の水素供給圧力（図２中、波線に示す通常起動時を参照）よりも上昇させている。
【００４５】
低温起動時の水素供給圧力の上限値である本願の水素上限圧Ｐｍａｘは、通常起動時及び通常発電時の水素上限圧Ｐｎｏｒよりも高圧に設定される。水素上限圧Ｐｍａｘは、図３に示すように、燃料電池スタック１２の温度（ＦＣスタック温度）に比例しており、前記燃料電池スタック１２の温度が低い程、低く設定される。燃料電池スタック１２では、低温時にシール部材（図示せず）が硬くなってシール面圧が低下している。このため、水素供給圧力を上げると、内圧が上昇してガス漏れが惹起するおそれがある。従って、水素上限圧Ｐｍａｘは、燃料電池スタック１２の温度に比例して設定される。
【００４６】
図２に示すように、水素供給圧力が上昇することにより、発電に必要な水素量が早期に得られ、燃料電池スタック１２の起電力が上昇する。そして、例えば、燃料電池コンタンクタ（図示せず）がＯＮされることにより、燃料電池スタック１２の電流印加を開始するための処理が完了する。すなわち、燃料電池スタック１２から電流を引くことができる状態である。次いで、燃料電池システム１０では、待機発電及びパージ処理が開始される。
【００４７】
待機発電は、燃料電池スタック１２への外部からの運転要求、例えば、使用者のアクセル操作による走行要求等を規制しながら発電する状態である。制御部２２は、例えば、空気温度センサ１０１により検出される燃料電池スタック１２の空気出口４６ｂの温度に基づいて、待機発電が継続される待機時間を設定する。空気出口４６ｂの温度が高い場合には、図２に示すように、待機時間が短く設定される一方、前記空気出口４６ｂの温度が低い場合には、図４に示すように、前記待機時間が長く設定される。
【００４８】
パージ処理は、アノード流路内のガスを高濃度水素ガスにより置換する処理（燃料ガス置換処理）である。起動時には、アノード流路内には、水素ガスの他、窒素ガス含む不純物が混在しており、アノード側の水素濃度を上げて水素ガスのストイキ（アノードストイキ）を確保するために行われる。図２及び図４に示すパージ処理は、水素濃度等に基づいた許容電流値以下の電流を印加した状態で行われる。
【００４９】
図２に示すように、待機発電がパージ処理よりも早く完了する際には、前記待機発電が完了した後、水素上限圧Ｐｍａｘは、通常発電時の水素上限圧Ｐｎｏｒに減圧される。待機時間経過後に、使用者による走行に移行するため、急激な水素圧変動に耐える必要があるからである。
【００５０】
一方、図４に示すように、待機発電がパージ処理よりも遅く完了する際には、前記パージ処理が完了した後、水素上限圧Ｐｍａｘは、通常発電時の水素上限圧Ｐｎｏｒに減圧される。例えば、急速暖機が行われると、電流値が増加し易くなるため、水素上限圧Ｐｍａｘに余裕を持たせている。
【００５１】
この場合、本実施形態では、低温起動時には、水素ポンプ６８の駆動指令が発せられるとともに、図２及び図４に示すように、前記低温起動時の水素供給圧力を、通常起動時の水素供給圧力よりも上昇させている。このため、特に、氷点下の環境で、水素ポンプ６８が凍結していても、水素ガスの供給量（すなわち、アノードストイキ）を有効に確保することができる。従って、水素ガス置換不足を確実に防止し、起動後に燃料電池スタック１２から引かれる電流に電流制限がかかることを抑制することが可能になる。
【００５２】
図５には、水素圧力の上昇による電流制限時間の関係図が示されている。横軸は、水素圧力である一方、縦軸は、発電電流制限（例えば、１００Ａ以下）の時間である。これにより、水素圧力が高くなる程、電流制限される時間が短縮される。このため、本実施形態では、水素上限圧Ｐｍａｘが高く設定されることにより、発電に必要な水素量を早期に確保し、電流制限が一挙に軽減されるという効果が得られる。
【００５３】
しかも、水素ポンプ６８が正常であるか否かの判断を不要とし、低温起動時の水素圧力と電力上昇とに基づいて、前記低温起動を完了させている。従って、起動の待ち時間が短縮されるとともに、水素ポンプ６８が凍結していない場合に、パージ処理が一層短時間で完了することになる。これにより、簡単な制御で、迅速且つ有効な低温起動を遂行することができ、発電安定性を良好に確保することが可能になる。
【００５４】
また、本実施形態では、図２に示すように、低温起動時の水素供給圧力は、燃料電池スタック１２の温度が低い程、低く設定されている。このため、燃料電池スタック１２内のシール物性によりシール性能が低下している場合も、ガス漏れを確実に抑制することができる。
【００５５】
さらに、燃料電池スタック１２の電流印加を開始するための処理が完了した際、空気が燃料電池スタック１２から排出される空気出口４６ｂの温度が検出され、前記温度に基づいて前記燃料電池スタック１２への外部からの運転要求を規制する待機時間が設定されている。従って、上記処理完了時の空気出口４６ｂの温度に応じて最低限の待機時間に設定することができ、使用者の利便性を向上させることが可能になる。
【００５６】
さらにまた、図２に示すように、待機時間が経過した際、パージ処理の完了前であっても、水素上限圧Ｐｍａｘを低下させている。これにより、待機時間経過後に、使用者による走行に移行する際、急激な水素圧変動に耐えることができる。
【符号の説明】
【００５７】
１０…燃料電池システム              １２…燃料電池スタック
１４…燃料ガス供給装置              １６…酸化剤ガス供給装置
１８…冷却媒体供給装置              ２０…バッテリ
２２…制御部                        ２４…発電セル
２６…電解質膜・電極構造体          ２８、３０…セパレータ
３２…固体高分子電解質膜            ３４…アノード電極
３６…カソード電極                  ３８…水素ガス流路
４０…空気流路                      ５０…水素タンク
５２…水素ガス供給路                ７８…エアポンプ
８０…空気供給路                    ８２ａ…供給側開閉弁
８２ｂ…排出側開閉弁                ８４…加湿器
８８、９６…ＢＰ流量調整弁          ９０…空気排出路
９２…背圧弁                        ９４…バイパス流路
９８…空気循環流路                  １００…循環ポンプ
１０１…空気温度センサ              １１０…冷媒温度センサ
【図１】
0006307536.tif 000002
【図２】
0006307536.tif 000003
【図３】
0006307536.tif 000004
【図４】
0006307536.tif 000005
【図５】
0006307536.tif 000006